(57)【要約】【課題】電源のＤＣ−ＤＣコンバータの高調波による受信装置への受信障害を回避する手段を提供する。【解決手段】マイクロコンピュータ３は、ＤＣ−ＤＣコンバータ２の現在の発振周波数を読み取り、受信部１の最低受信周波数と最高受信周波数の間に発生し得るＤＣ−ＤＣコンバータ２の発振周波数のすべての高調波次数について高調波周波数を算出し、その周波数とＡＭ受信部１が現在受信している受信周波数との差が予め決めた所定の周波数以上になるようにＤＣ−ＤＣコンバータ２の発振周波数の制御を行う。【選択図】図１
2005318224.tif 000002
【特許請求の範囲】
【請求項１】
ラジオ放送信号などを受信する受信部と、
少なくとも前記受信部に直流電圧を供給するＤＣ−ＤＣ変換回路を含むＤＣ−ＤＣコンバータと、
前記受信部の局部発信周波数の制御、前記ＤＣ−ＤＣコンバータの発振周波数の読み取り、読みとった前記ＤＣ−ＤＣコンバータの発振周波数の高調波周波数の算出及び前記ＤＣ−ＤＣコンバータの発振周波数の制御を行うマイクロコンピュータとを備え、
前記マイクロコンピュータは前記ＤＣ−ＤＣコンバータの発振周波数を読み取り、読みとった前記ＤＣ−ＤＣコンバータの発振周波数の高調波周波数を算出し、現在受信している受信周波数と前記ＤＣ−ＤＣコンバータの発振周波数の高調波との差が予め決めた所定の周波数以上になるように前記ＤＣ−ＤＣコンバータの発振周波数の制御を行うことを特徴とする受信装置。
【請求項２】
前記マイクロコンピュータは前記受信部の受信している受信周波数範囲の下限と上限の間に発生し得る前記ＤＣ−ＤＣコンバータの発振周波数のすべての高調波次数について前記の処理を行うことを特徴とする請求項１記載の受信装置。
【発明の詳細な説明】
【技術分野】
【０００１】
本発明は、ＤＣ−ＤＣコンバータを内部に備えるＡＭラジオなどの受信装置に関し、さらに詳しくは受信装置へのＤＣ−ＤＣコンバータ発振周波数の高調波障害を回避するものに関する。
【背景技術】
【０００２】
外部から電源としてＡＣ電圧を入力するＡＭラジオなどの受信装置において、内部回路で必要な電源電圧を安定に作り出すため、定電圧回路が用いられている。
【０００３】
一方、装置の小型化を実現するためには電力変換の高効率化による電源回路の小型化及び発熱の低減が不可欠であり、近年ＤＣ−ＤＣコンバータを用いて安定した電源電圧を高効率で作ることが主流になってきている。
【０００４】
また、外部から単一のＤＣ電圧を入力したり、単一の内蔵ＤＣ電源で動作するＡＭラジオなどの受信装置においても、内部回路で必要な複数種類の電源電圧を作り出すためにＤＣ−ＤＣコンバータが用いられている。
【０００５】
しかしながら、ＤＣ−ＤＣコンバータはその発振周波数を基本波とする高調波ノイズを幅射するため、ＡＭ受信装置のように微弱な電波を増幅する装置に対し、受信障害を引き起こす原因となる。このＤＣ−ＤＣコンバータが輻射する高調波ノイズは、回路のシールドだけでは容易に取り除くことができず、以下に記すようなコンバータの発振周波数を受信周波数に応じて変え、コンバータの幅射ノイズによる受信障害を回避する手法が取られている。
【０００６】
第１の改善策は、特許文献１に示されるように、ＤＣ−ＤＣ（ＤＣ−ＡＣ）コンバータ駆動用の発振回路として、例えば３５０ｋＨｚ及び３００ｋＨｚの２つを用意し、それぞれの高調波が受信障害を発生させないように受信周波数に応じて切り替えるという手法である。
【０００７】
第２の改善策は、特許文献２に示されるように、ＡＭラジオ放送受信において、ＤＣ−ＤＣコンバータ発振周波数の高調波が受信周波数の音声帯域と干渉しないと推定される発振周波数でＤＣ−ＤＣコンバータを発振させる手法である。
【０００８】
第３の改善策は、特許文献３に示されるように、スイッチング電源のスイッチング周波数の高調波が受信周波数と干渉してノイズが発生した場合、ハイパスフィルタを用いて音声信号からノイズ成分を取り出し、コンパレータを用いて電源回路の負荷電流を増加させることによりスイッチング周波数を高い方向に変化させるという手法である。
【特許文献１】特開平７−２６４０８３号公報
【特許文献２】特開２００２−３３５６７２号公報
【特許文献３】特開２００１−１６８４８号公報
【発明の開示】
【発明が解決しようとする課題】
【０００９】
以上のように、ＤＣ−ＤＣコンバータが輻射する高調波ノイズは、回路のシールドだけでは容易に取り除くことができず、従来種々の手法が提案されてきた。
【００１０】
本発明はＤＣ−ＤＣコンバータが発生する高調波ノイズ稲射によるＡＭ受信機などへの受信障害を、受信機に本来必要であった構成を利用する簡素・安価な方法で安定して回避することができる受信装置を提供することを目的とする。
【課題を解決するための手段】
【００１１】
上記課題を解決するために本発明の受信装置は、ラジオ放送信号などを受信する受信部と、少なくとも前記受信部に直流電圧を供給するＤＣ−ＤＣ変換回路を含むＤＣ−ＤＣコンバータと、前記受信部の局部発信周波数の制御、前記ＤＣ−ＤＣコンバータの発振周波数の読み取り、読みとった前記ＤＣ−ＤＣコンバータの発振周波数の高調波周波数の算出及び前記ＤＣ−ＤＣコンバータの発振周波数の制御を行うマイクロコンピュータとを備え、前記マイクロコンピュータは前記ＤＣ−ＤＣコンバータの発振周波数を読み取り、読みとった前記ＤＣ−ＤＣコンバータの発振周波数の高調波周波数を算出し、現在受信している受信周波数と前記ＤＣ−ＤＣコンバータの発振周波数の高調波との差が予め決めた所定の周波数以上になるように前記ＤＣ−ＤＣコンバータの発振周波数の制御を行うことを特徴とするものである。
【００１２】
また、上記の構成において、前記マイクロコンピュータは前記受信部の受信している受信周波数範囲の下限と上限の間に発生し得る前記ＤＣ−ＤＣコンバータの発振周波数のすべての高調波次数について前記の処理を行うことを特徴とするものである。
【発明の効果】
【００１３】
本発明の受信装置は、マイクロコンピュータによってＤＣ−ＤＣコンバータの発振周波数を読み取り、読みとったＤＣ−ＤＣコンバータの発振周波数の高調波周波数を算出し、現在受信している受信周波数と前記ＤＣ−ＤＣコンバータの発振周波数の高調波との差が予め決めた所定の周波数以上になるように前記ＤＣ−ＤＣコンバータの発振周波数の制御を行うので、ＤＣ−ＤＣコンバータを用いた小型で且つ高効率な電源を備えながら、本来備えているマイクロコンピュータの機能の一部を利用して最小の追加回路で、ＤＣ−ＤＣコンバータの高調波ノイズ輻射による影響を確実に回避し、全ての受信周波数において良好に放送信号などを受信できるという利点がある。
【発明を実施するための最良の形態】
【００１４】
以下、図面を用いて本発明の受信装置の一実施形態について説明する。図１は、本発明の一実施形態における受信装置のブロック図、図２は同じくそのマイクロコンピュータによるＤＣ−ＤＣコンバータの発振周波数制御説明のためのブロック図、図３は同じく受信障害を回避するためのＤＣ−ＤＣコンバータの発振周波数制御フロー図、図４は発振回路の接続抵抗値Ｒと発振周波数ＦOの関係を表す特性図である。本実施形態では、受信装置はＡＭ中波放送受信機の場合である例を示す。
【００１５】
図１において、ＡＭ受信部１はＤＣ−ＤＣコンバータ２の発生する所定の直流電圧を電源として動作する。マイクロコンピュータ３はＡＭ受信部１の受信周波数を制御し、同時に後述の方法によってＤＣ−ＤＣコンバータ２の発信周波数を読みとり、ＡＭ受信部１の受信周波数との関連から計算した結果によってＤＣ−ＤＣコンバータ２の発信周波数を制御する。マイクロコンピュータ３は通常ＡＭ受信部１の受信周波数の制御に用いられており、本実施形態では、そのマイクロコンピュータ３をＤＣ−ＤＣコンバータ２の発信周波数制御に兼用しようとするものである。
【００１６】
図２において、ＤＣ−ＤＣコンバータ２は、発振回路４、ＰＷＭ（Ｐｕｌｓｅ  Ｗｉｄｅ  Ｍｏｄｕｌａｔｉｏｎ）変調器５、ＦＥＴ（Ｆｉｅｌｄ  Ｅｆｆｅｃｔ  Ｔｒａｎｓｉｓｔｏｒ）６を備える。ＦＥＴ６は端子７ａよりＤＣ電圧を印加され、出力端子７ｂより波形７ｃを出力する。出力端子７ｂにはダイオード８、チョークコイル９、平滑コンデンサ１０が図示のように接続されて平滑されたＤＣ出力を得ている。また、ＤＣ−ＤＣコンバータ２の出力端子７ｂからはマイクロコンピュータ３に周波数読みとりのための出力を供給している。
【００１７】
内部の発振回路４は、ＧＮＤとの間に接続する抵抗器群１１の抵抗器を、マイクロコンピュータ６によりスイッチ群１２のスイッチＳ１〜Ｓ５を切り替えて抵抗値を変えることによって発振周波数ＦOを変えられる。
【００１８】
まず発振回路４は発振周波数ＦOで発振し、ＰＷＭ変調器５が発振周波数ＦOでＦＥＴ６をスイッチングし、ＦＥＴ６はＤＣ入力電圧を出力波形７ｃのようにＰＷＭパルスに変換する。出力波形７ｃは、ダイオード８、チョークコイル９および平滑コンデンサ１０により任意のＤＣ電圧に変換され、更に安定化するためＰＷＭ変調器５ヘフイードバックされる。負荷電流の増減に対しては、ＰＷＭ変調器５がパルス幅を変化させて追従し、発振周波数ＦOは変化しない。
【００１９】
上述の出力波形７ｃをマイクロコンピュータ３ヘ入力し発振周波数ＦOを読み込む。マイクロコンピュータ３は、計算結果に従い、スイッチ群１２を制御し、抵抗器群１１の抵抗器Ｒ１〜Ｒ５をスイッチ群１２のスイッチＳ１〜Ｓ５のいずれかを切り替え、発振回路４、すなわちＤＣ−ＤＣコンバータ２の発振周波数を変える。
【００２０】
つぎに図３を用いてＡＭ放送受信の場合のＤＣ−ＤＣコンバータ２の発振周波数制御について説明する。マイクロコンピュータ３は、最初Ｍ＝１でスタートし、処理ａのＳ１で最初にＤＣ−ＤＣコンバータ２の発振周波数ＦOが、たとえば２５０ｋＨｚであれば、それを読みとり、ＦO＝２５０ｋＨｚの値を保持する。
【００２１】
つぎにＳ２でＭが１であるからＳ３においてＡＭ受信周波数の下限Ｆmin＝５２２ｋＨｚからＦOの最小整数倍数Ｎmin＝Ｆmin／ＦOを算出し、端数を切り捨ててＮmin＝Ｌ＝２を保持する。同様にＳ４でＡＭ受信周波数の上限Ｆmax＝１６２９ｋＨｚからＦOの最大整数倍数Ｎmax＝Ｆmax／ＦOを算出、端数を切り上げてＮmax＝７を保持する。
【００２２】
続いて、処理ｂに入り、Ｓ５でＦ（Ｌ）＝ＦO＊Ｌにおいて、この場合最初Ｌ＝２であるからＦO＊２＝５００ｋＨｚとなり、Ｓ６で現在の受信周波数Ｆrを調べ、Ｓ７で周波数差Ｆn（Ｌ）＝Ｆ（Ｌ）−ＦRを計算し、Ｓ８で周波数差Ｆn（Ｌ）が＋／−５０ｋＨｚより大きいかどうかを調べ、大きければ受信障害が発生しないと見なせるので、Ｓ９でＭが１であればＳ１０でＬを調べ、ＬがＭmax（この場合７）でなければＬをインクリメントしてＳ５へ戻り、Ｌ＝Ｎmaxであれば終了する。このようにＦOの第２高調波Ｆ（２）から第７高調波Ｆ（７）について、現在の受信周波数Ｆr（ｋＨｚ）と周波数差Ｆn（Ｌ）を計算し、＋／−５０ｋＨｚより大きければ受信障害が発生しないと見なせるので処理を終える。
【００２３】
一方、Ｓ８でＦn（Ｌ）が＋／−５０ｋＨｚ未満であった場合、Ｓ１１で周波数差Ｆn（Ｌ）が０以上であればＳ１２でＦOを任意の周波数Ａ（ｋＨｚ）、たとえば１０ｋＨｚだけ上げ、Ｍをインクリメントして処理ａに戻る。また、Ｆnが負の値であった場合、Ｓ１３でＦOを任意の周波数Ｂ（ｋＨｚ）、たとえば１０ｋＨｚだけ下げ、Ｍをインクリメントして処理ａに戻る。
【００２４】
処理ａに戻ったとき、初回と同様にＦOを読み取り保持するが、２回目の処理に入りＭ＝２となるため、Ｓ２で直ちに処理ｂヘジャンプする。以降第Ｌ高調波についてＦn（Ｌ）が算出され、＋／−５０ｋＨｚの範囲を超えるまでＦOが制御される。
【００２５】
この処理を繰り返すことにより、Ｆn（L）が常時＋／−５０ｋＨｚ以外に導かれ、ＤＣ−ＤＣコンバータ発振周波数の高調波による受信障害を確実に回避できる。
【００２６】
ＤＣ−ＤＣコンバータの発振周波数周波数ＦOの制御は、図４の発振回路の接続抵抗値と発振周波数ＦOの関係を利用し、ＦO＋Ａ（ｋＨｚ）とする場合はマイクロコンピュータ３がスイッチ群１２を制御し、抵抗器をより値の大きいものに切り替える。一方、ＦO−Ｂ（ｋＨｚ）とするためには、同様に抵抗器をより値の小さいものに切り替えることでコンバータの発振周波数を制御できる。
【００２７】
このように本実施形態においては、マイクロコンピュータ３は、受信部１の受信している受信周波数範囲の下限と上限の間に発生し得るＤＣ−ＤＣコンバータ２の発振周波数のすべての高調波次数について前述の処理を行うものである。
【００２８】
なお、本実施形態ではＡＭ中波放送受信機の場合を例示したが、他の周波数帯の受信機や他の変調方式の受信機にも適用できるのは当然である。
【産業上の利用可能性】
【００２９】
このように本発明の受信装置は、本来備えているマイクロコンピュータの機能の一部を利用して最小の追加回路で、ＤＣ−ＤＣコンバータの高調波ノイズ輻射による影響を確実に回避し、全ての受信周波数において良好に放送信号などを受信できるので、電源部にＤＣ−ＤＣコンバータを備え、受信周波数の選択をマイクロコンピュータによって制御する全ての受信装置に適用できる産業上の利用可能性の高いものである。
【図面の簡単な説明】
【００３０】
【図１】本発明の一実施形態における受信装置のブロック図
【図２】同じくそのマイクロコンピュータによるＤＣ−ＤＣコンバータの発振周波数制御説明のためのブロック図
【図３】同じく受信障害を回避するためのＤＣ−ＤＣコンバータの発振周波数制御フロー図
【図４】発振回路の接続抵抗値Ｒと発振周波数ＦOの関係を表す特性図
【符号の説明】
【００３１】
１    ＡＭ受信部
２    ＤＣ−ＤＣコンバータ
３    マイクロコンピュータ
４    発振回路
５    ＰＷＭ変調器
６    ＦＥＴ
７ａ    ＤＣ  ＩＮ端子
７ｂ    出力端子
７ｃ    出力波形
８    ダイオード
９    チョークコイル
１０    平滑コンデンサ
１１    抵抗器群
１２    スイッチ群
【図１】
2005318224.tif 000003
【図２】
2005318224.tif 000004
【図３】
2005318224.tif 000005
【図４】
2005318224.tif 000006